(57)【特許請求の範囲】
【請求項１】
地図の表示情報及び該表示情報に対応する地図の画像データを含む地図情報が蓄積された地図情報データベースと該地図情報データベースから前記地図情報を読み出して出力する地図サーバとを備え、インターネット上で前記地図情報の検索表示が可能な地図情報提供サイトと、
設定された第１地点と第２地点とを結ぶルートを設定するのに必要な情報が蓄積されたルートデータベースと、インターネットに接続され該ルートデータベースに蓄積された情報によって第１地点から第２地点までに至るルート設定を行うルート設定サーバとを備えたルート設定サイトと、
インターネットを介して前記地図情報提供サイト及び前記ルート設定サイトにアクセス可能な情報端末機と、を備えたシステムであって、
前記ルート設定サーバは、
前記ルート設定サイトにアクセスした前記情報端末機からの入力情報に基づいて、第１地点と第２地点とを指定する地点指定手段と、
前記ルート設定サイトにアクセスした前記情報端末機からの情報に基づいて、ユーザ情報を設定するユーザ情報設定手段と、
設定された前記ユーザ情報に基づいてルート設定のための条件を設定する条件設定手段と、
設定された前記条件に基づいて前記地点指定手段で指定された第１地点と第２地点を結ぶルートを前記ルートデータベースの蓄積情報から設定するルート設定手段と、
前記地図サーバに、指定された第１地点と第２地点とを含む地域の地図情報を出力させ、該地図情報に基づく地図画像を前記情報端末機の表示画面に表示させる地図表示手段と、
前記ルート設定手段によって設定されたルートを前記地図表示手段によって表示された地図画像上に表示するルート表示手段と、を備え、
前記ルート設定サイトは、広告提供者に関する登録データが記録された広告提供者データベースを具備し、前記登録データは少なくとも広告提供者毎の店舗位置情報と前記ユーザ情報に関連する店舗情報とを含み、
前記条件設定手段は、設定された前記ユーザ情報及び指定された第１地点と第２地点の位置情報によって前記広告提供者データベースを検索して、指定された第１地点と第２地点間で前記ユーザ情報に関連する広告提供者の施設を抽出し、
前記ルート設定手段は、指定された第１地点と第２地点とを結び前記条件設定手段で抽出された複数の施設のいくつかを経由する複数のルートのうちユーザの設定した条件に適合するルートを設定することを特徴とする人ナビゲーションシステム。
【請求項２】
前記ルート設定手段は、同一ユーザが同じ二地点を再度指定してルート設定を行う場合には、前記複数の施設のいくつかを経由する他のルートを設定することを特徴とする請求項１に記載の人ナビゲーションシステム。
【請求項３】
前記条件設定手段が、ユーザの性別および年齢，性格，趣味，嗜好を含む前記ユーザ情報に基づいてルート設定条件の設定を行う請求項１に記載の人ナビゲーションシステム。
【請求項４】
前記ユーザ情報が、あらかじめユーザ登録データベースに記録されていて、前記ユーザ情報設定手段は、このユーザ登録データベースからユーザ情報を読み出すことによってユーザ情報の設定を行う請求項１に記載の人ナビゲーションシステム。
【請求項５】
前記条件設定手段が、更に、ユーザが前記第１地点と第２地点を結ぶルートを利用する時刻および時間帯，天候，季節，気候の少なくとも一つの条件をルート設定条件として設定する請求項１に記載の人ナビゲーションシステム。
【請求項６】
前記条件設定手段がルート設定条件として設定した時刻および時間帯，天候，季節，気候の少なくとも一つの条件に合致する前記施設を検索して、検索された施設を含むルートを設定ルートとして選択する請求項５に記載の人ナビゲーションシステム。
【請求項７】
前記ルートデータベースに蓄積されたルート情報が、アーケードの有無に関する情報を含み、前記ルート設定手段は、前記ルート設定条件として天候が雨であることが設定された場合に、前記ルート情報に基づいてアーケードの有るルートを設定する請求項５に記載の人ナビゲーションシステム。
【請求項８】
前記ルートデータベースに蓄積されたルート情報が、大型施設の出入口の位置に関する情報を含む請求項５に記載の人ナビゲーションシステム。
【請求項９】
前記ルートデータベースに蓄積されたルート情報が、道路の両側に敷設された歩道の位置に関する情報を含む請求項５に記載の人ナビゲーションシステム。
【請求項１０】
前記ルートデータベースに蓄積されたルート情報が、道路に設けられた横断歩道の位置に関する情報を含む請求項５に記載の人ナビゲーションシステム。
【請求項１１】
前記ルート表示手段が、前記施設を前記地図表示手段によって表示された地図画像上において他の施設と識別可能に表示する請求項１に記載の人ナビゲーションシステム。
【発明の詳細な説明】
【０００１】
【発明の属する技術分野】
この発明は、データベースから読み出されて表示された地図画像内に、出発地点から目的地点に到達するまでのルートを表示して人をナビゲーションするシステムに関する。
【０００２】
【発明が解決しようとする課題】
近年、マイクロコンピュータ等の情報検索機器の普及やインターネットを介して提供される情報提供サービスの急速な拡大に伴って、情報検索機器用に開発された地図情報の電子辞書や、インターネットに接続された地図情報提供用サーバなどの地図情報検索表示システムの整備が進んできている。
【０００３】
上記のような地図情報検索表示システムは、住所や施設名などのランドマークを入力することによって、情報検索機器にセットアップされた電子辞書やインターネットを介して接続される地図情報提供用サーバのデータベースから所望の地域の地図データを検索し、この地図データの地図画像を表示部に表示したり印刷したりすることによって利用される。
【０００４】
ここで、本件出願人は、先の出願（特願平１０−１０２５１２号）により、データベースから検索された所望の地域の地図データによる地図画像上において、指定された出発地点と目的地点とを結ぶ最短ルートを表示するルート情報提供システムの提案を行っている。
【０００５】
このルート情報提供システムは、あらかじめルート計算データベースにルート情報を蓄積しておいて、例えば、図１０に示されるような地図画像上においてＪＲ蒲田駅が出発地点Ｓに指定され京急蒲田駅が目的地点Ｇに指定されると、ルート計算データベースから検索されたルート情報に基づいてルート計算を行って、出発地点Ｓと目的地点Ｇとを結ぶ主要道路を優先した最短ルートＬを、その総距離を示す文字データなどとともに、色塗り（道塗り）等の手法によって表示して、人をナビゲーションするものである。
【０００６】
このように、この先の提案によるルート情報提供システムは、ユーザが、出発地点から所望の目的地までの最短ルートを示すルート情報を容易に入手出来るという優れた特徴を有するものである。
【０００７】
しかしながら、ユーザは、場合によっては、最短ルートよりも出発地点から目的地点に至るまでのルート上において所望の目的を達成することが出来るルートを選択したい場合がある。
【０００８】
例えば、ユーザには、出発地点から目的地点に移動するまでの間に食事や買い物をしたり金融機関などへの用事を済ませたい等の要求がある場合があり、そのような目的の店舗が主要道路ではなく、裏通りにある場合がある。
また、ユーザは、天候などのその時々の事情に応じて目的地までのルートを選択したい場合がある。
【０００９】
そして、ユーザによるこれらの要求は、ユーザの年齢層や性別,趣味などの様々の要因によって異なり、また、曜日や時間帯,天候等のその時々の状況によって変化する。
一方、近年の地図情報検索表示システムの普及に伴ってその商業的利用の拡大が図られてきており、上記のルート情報提供システムについても、例えば広告媒体としての利用価値についての認識が高まってきている。
【００１０】
この発明は、上記のようなルート情報提供システムに対するユーザの要望に応えるために為されたものである。
すなわち、この発明は、指定された出発地点と目的地点とを結ぶルートを地図画像に表示して人のナビゲーションを行う際に、ユーザの要望に応じたルートを表示することが出来るとともに、広告媒体としても利用が可能な人ナビゲーションシステムを提供することを目的とする。
【００１１】
【課題を解決するための手段】
本発明の人ナビゲーションシステムは、地図の表示情報及び該表示情報に対応する地図の画像データを含む地図情報が蓄積された地図情報データベースと該地図情報データベースから前記地図情報を読み出して出力する地図サーバとを備え、インターネット上で前記地図情報の検索表示が可能な地図情報提供サイトと、設定された第１地点と第２地点とを結ぶルートを設定するのに必要な情報が蓄積されたルートデータベースと、インターネットに接続され該ルートデータベースに蓄積された情報によって第１地点から第２地点までに至るルート設定を行うルート設定サーバとを備えたルート設定サイトと、インターネットを介して前記地図情報提供サイト及び前記ルート設定サイトにアクセス可能な情報端末機と、を備えたシステムであって、前記ルート設定サーバは、前記ルート設定サイトにアクセスした前記情報端末機からの入力情報に基づいて、第１地点と第２地点とを指定する地点指定手段と、前記ルート設定サイトにアクセスした前記情報端末機からの情報に基づいて、ユーザ情報を設定するユーザ情報設定手段と、設定された前記ユーザ情報に基づいてルート設定のための条件を設定する条件設定手段と、設定された前記条件に基づいて前記地点指定手段で指定された第１地点と第２地点を結ぶルートを前記ルートデータベースの蓄積情報から設定するルート設定手段と、前記地図サーバに、指定された第１地点と第２地点とを含む地域の地図情報を出力させ、該地図情報に基づく地図画像を前記情報端末機の表示画面に表示させる地図表示手段と、前記ルート設定手段によって設定されたルートを前記地図表示手段によって表示された地図画像上に表示するルート表示手段と、を備え、前記ルート設定サイトは、広告提供者に関する登録データが記録された広告提供者データベースを具備し、前記登録データは少なくとも広告提供者毎の店舗位置情報と前記ユーザ情報に関連する店舗情報とを含み、前記条件設定手段は、設定された前記ユーザ情報及び指定された第１地点と第２地点の位置情報によって前記広告提供者データベースを検索して、指定された第１地点と第２地点間で前記ユーザ情報に関連する広告提供者の施設を抽出し、前記ルート設定手段は、指定された第１地点と第２地点とを結び前記条件設定手段で抽出された複数の施設のいくつかを経由する複数のルートのうちユーザの設定した条件に適合するルートを設定するを特徴とする。
【００１２】
また、本発明の人ナビゲーションシステムは、前述の特徴に加えて、前記ルート設定手段は、同一ユーザが同じ二地点を再度指定してルート設定を行う場合には、前記複数の施設のいくつかを経由する他のルートを設定することを特徴とする。また、前記条件設定手段が、ユーザの性別および年齢，性格，趣味，嗜好を含む前記ユーザ情報に基づいてルート設定条件の設定を行うことを特徴とする。
【００１３】
また、本発明の人ナビゲーションシステムは、前述の特徴に加えて、前記ユーザ情報が、あらかじめユーザ登録データベースに記録されていて、前記ユーザ情報設定手段は、このユーザ登録データベースからユーザ情報を読み出すことによってユーザ情報の設定を行うことを特徴とする。
【００１４】
また、本発明の人ナビゲーションシステムは、前述の特徴に加えて、前記条件設定手段が、更に、ユーザが前記第１地点と第２地点を結ぶルートを利用する時刻および時間帯，天候，季節，気候の少なくとも一つの条件をルート設定条件として設定することを特徴とする。
【００１５】
また、本発明の人ナビゲーションシステムは、前述の特徴に加えて、前記条件設定手段がルート設定条件として設定した時刻および時間帯，天候，季節，気候の少なくとも一つの条件に合致する前記施設を検索して、検索された施設を含むルートを設定ルートとして選択することを特徴とする。
【００１６】
また、本発明の人ナビゲーションシステムは、前述の特徴に加えて、前記ルートデータベースに蓄積されたルート情報が、アーケードの有無に関する情報を含み、前記ルート設定手段は、前記ルート設定条件として天候が雨であることが設定された場合に、前記ルート情報に基づいてアーケードの有るルートを設定することを特徴とする。
【００１７】
また、本発明の人ナビゲーションシステムは、前述の特徴に加えて、前記ルートデータベースに蓄積されたルート情報が、大型施設の出入口の位置に関する情報を含むことを特徴とする。
【００１８】
また、本発明の人ナビゲーションシステムは、前述の特徴に加えて、前記ルートデータベースに蓄積されたルート情報が、道路の両側に敷設された歩道の位置に関する情報を含むことを特徴とする。
【００１９】
また、本発明の人ナビゲーションシステムは、前述の特徴に加えて、前記ルートデータベースに蓄積されたルート情報が、道路に設けられた横断歩道の位置に関する情報を含むことを特徴とする。
【００２０】
また、本発明の人ナビゲーションシステムは、前述の特徴に加えて、前記ルート表示手段が、前記施設を前記地図表示手段によって表示された地図画像上において他の施設と識別可能に表示することを特徴とする。
【００２１】
本発明によると、地図表示手段によって表示された地図画像上に、地点指定手段によって任意に指定された第１地点と第２地点すなわち出発地点と目的地点とを結ぶルートのうち、条件設定手段によって設定された条件に基づいてルート設定手段が設定を行ったルートが、ルート表示手段によって表示される。
【００２２】
例えば、条件設定手段がユーザの性別および年齢，性格，趣味，嗜好を含むユーザ情報に基づいてルート設定条件を設定する場合には、ルート設定手段がユーザの趣味等に合致した店舗の前を通過するようにルートの設定を行い、また、ユーザが第１地点と第２地点を結ぶルートを利用する時刻および時間帯，天候，季節，気候の少なくとも一つの条件をルート設定条件として設定する場合には、アーケードが設置されたルートや大型施設内を通過するルートの設定を行うなどの、種々のルート設定条件に対応したルート設定を行う。
【００２３】
そして、ユーザは、上記のようにしてルート設定条件に対応して設定されたルートを、端末機などのディスプレイに表示されている地図画像上に表示させることによって、その表示されたルートを見ながらナビゲーションを受けることが出来る。
【００２４】
よって、発明によれば、指定された第１地点（出発地点）と第２地点（目的地点）とを結ぶルートを地図画像に表示して人のナビゲーションを行う際に、単に最短ルートが設定されるのではなく、ユーザ毎に設定される条件、例えばユーザの趣味などに合致したルートや利用する時間帯やそのときの天候などに応じたルートの設定が行われるので、その都度、ユーザの要望に応じたルートを設定してナビゲーションすることが出来るとともに、例えば、ルート設定条件として特定の施設などが設定される場合に、その施設を広告提供者の施設に特定することによって、広告媒体としても利用が可能になる。また、同一ユーザが同じ二地点を指定した場合には異なるルートが設定されるので、更に広告効果を高めることができる。
【００２５】
また、本発明の人ナビゲーションシステムは、あらかじめ登録されているか或いはルート設定の際に入力されるユーザ情報に基づいて、例えば、ユーザの性別や年齢,趣味などに適合した商品を扱う店舗などの施設の前を通るルートの設定を行うことができる。
【００２６】
これによると、指定された第１地点（出発地点）と第２地点（目的地点）とを結ぶルートを地図画像に表示して人のナビゲーションを行う際に、単に最短ルートが設定されるのではなく、各ユーザのそれぞれの嗜好などに合致したルートが設定されることにより、そのユーザにとってより有用なルートに導きながらナビゲーションを行うことができ、これによって、ユーザに対して地域に関する新しい発見を与えたりすることができ、さらに、購買意欲の刺激といった商業的利用も可能になる。
【００２７】
また、本発明の人ナビゲーションシステムによれば、条件設定手段によるルート設定条件の設定を、あらかじめユーザ登録データベースに記録されているユーザ情報に基づいて行うことで、ユーザは、この人ナビゲーションシステムによるナビゲーションを受けようとする際に、ユーザ登録データベースから読み出されるユーザ情報に基づいて、自動的に自分の好みに応じたルートによるナビゲーションを受けることができるようになる。
【００２８】
また、本発明の人ナビゲーションシステムは、ユーザがナビゲーションを受けようとする際の時刻および時間帯，天候，季節，気候の少なくとも一つの条件に基づいてルート設定を行うこともできる。ユーザがナビゲーションを受けようとする時刻または時間帯が食事時である場合には、レストランなどの前を通るルートを設定することができ、また、天候が雨等の場合には、濡れないで通ることが出来るルートを設定することができる。
【００２９】
また、本発明によると、ユーザ情報に合致する施設の検索が容易になるとともに、データベースに情報を蓄積しておく施設を、広告の提供があった施設とすることにより、人ナビゲーションシステムの広告媒体としての利用も可能になる。
【００３０】
また、ルート設定手段によるルートの設定が、広告提供者の施設の立地位置に基づいて行われるようになることによって、広告提供者は、この人ナビゲーションシステムを広告媒体として利用することが可能になり、人ナビゲーションシステムの商業的利用が拡大される。
【００３１】
また、本発明は、前記ルート設定手段が、前記地図表示手段によって表示される地図画像上のルートに関する情報が蓄積されたルートデータベースを有し、このルートデータベースから検索されたルート情報に基づいてルートの設定を行うことを特徴としている。
【００３２】
ルートデータベースに地図画像上のルートに関する情報が蓄積されており、ルート設定手段がルート設定条件に基づいてルートの設定を行う際に、設定の対象となるルートに関する情報、例えば、アーケードの有無，大型施設の出入口の位置，道路の両側に敷設された歩道の左右の識別，横断歩道の位置などの情報を、ルートデータベースから検索してルート設定を行う。これによれば、ユーザ情報や天候などの条件により適合した細かなルートの設定が可能になる。
【００３３】
例えば、ルート設定手段が天候をルート設定条件としてルート設定を行う場合に、天候が雨の場合等に、アーケードが設置されている道を選択してルートの設定を行うことにより、ユーザを雨に濡れないルートに誘導する等のナビゲーションを行うことが出来るようになる。
【００３４】
また、例えば、ルート設定手段が天候をルート設定条件としてルートの設定を行う場合に、天候が雨の場合や真夏の暑い日等に、傘をさす必要がなく、また、冷房によって涼しい大型施設内を通過するルートの設定を行うことにより、ユーザにとって最短距離を移動するよりも有用なルートに誘導する等のナビゲーションを行うことが出来るようになる。
【００３５】
また、例えば、ユーザ情報などのルート設定条件に適合する施設が、両側に歩道が敷設された道路に面して立地している場合等に、当該施設が両側の歩道のうちのどちら側に位置しているかを判断して、ユーザが道路を横断することなく施設を利用することが出来るような細かいルート設定によるナビゲーションを行うことが出来るようになる。
【００３６】
また、例えば、ユーザが交差点を渡る場合などに、この交差点に設けられた横断歩道のうち、ユーザ情報などに適合する施設に最短距離で到達することが出来るような細かいルート設定によるナビゲーションを行うことが出来るようになる。
【００３７】
また、本発明では、ルート設定の際に、ルート設定条件として検索された施設が、地図画像上において設定されたルート上に、拡大、色変わりや点滅などの方法によって、他の施設と識別出来るように表示することもできる。これによって、ユーザは、容易に当該施設の利用を行うことが出来るようになる。
【００４７】
【発明の実施の形態】
以下、この発明の最も好適と思われる実施の形態について、図面を参照しながら詳細に説明を行う。
【００４８】
図１は、この発明による地図情報の検索システムの実施形態の一例を示すシステム構成図である。
この図１において、端末機Ｔがそれぞれ図示しない公衆電話回線網およびアクセスサーバを介してインターネットＩに接続されており、このインターネットＩには、地図情報提供サイトＳ１および地図情報データベースサイトＳ２,ルート設定サイトＳ３が、それぞれ接続されている。
【００４９】
地図情報提供サイトＳ１は、ＷＷＷ（World Wide Web）による地図情報の提供サービスを行うサイトであり、後述する地図データベースサイトＳ２およびルート設定サイトＳ３からの端末機Ｔに対する情報提供を統括している。
【００５０】
そして、この地図情報提供サイトＳ１は、ＷＷＷサーバＳ１ａと、住所や施設などのランドマークとこれらの位置情報を示すデータが蓄積されたランドマークデータベースＳ１ｂとを備えており、ＷＷＷサーバＳ１ａは、後述するように、端末機Ｔからの入力情報に基づいてランドマークデータベースＳ１ｂにアクセスすることにより、入力された位置情報から住所や施設などのランドマークを特定したり、また、指定されたランドマークから対応する位置情報の取得を行う。
【００５１】
地図データベースサイトＳ２は、インターネット上で地図情報の検索表示サービスを行うサイトであり、地図データを読み出して端末機Ｔに送信する地図サーバＳ２ａと、緯度・経度による座標を示す位置情報,縮尺,地図サイズ等の地図の表示情報およびこれらの情報に対応する地図の画像データが蓄積された地図情報データベースＳ２ｂとを備えている。
【００５２】
ルート設定サイトＳ３は、端末機Ｔにおいてユーザが指定した出発地点と目的地点とを結ぶルートのうち、各ユーザが設定する条件に適合した最適のルートの設定を行うサイトであり、ルート設定を行うプログラムが格納されたルート設定サーバＳ３ａと、ルート設定サーバＳ３ａによるルート設定に必要な地図上の道路を示すベクトルデータが記録されたルートデータベースＳ３ｂと、店舗や商店会などの広告提供者の登録データが記録された広告提供者データベースＳ３ｃと、ユーザ情報が記録されたユーザ登録データベースＳ３ｄとを備えている。
【００５３】
このルート設定サイトＳ３のルートデータベースＳ３ｂには、道路に関する全ての情報、例えば、一般道,車専用道,歩行者専用道等の道路の種類、および、道路に敷設された左右の歩道の識別,交差点における信号や横断歩道の位置,アーケードの有無,デパートなどの大型店舗の異なる道路に面している出入口の位置などのルート設定に必要な道路に関する情報が蓄積されている。
【００５４】
また広告提供者データベースＳ３ｃには、広告を提供する店舗や商店会などの広告提供者に関する登録データが、図２に示されるような顧客ファイルｆの形式で記録されており、この顧客ファイルｆには、登録者ＩＤなどの広告提供者を特定する記述の他に、後述するようなルート設定サーバＳ３ａにおけるルート設定に必要な地図上での店舗位置や業種,取扱商品,営業時間などのデータが広告提供者毎に記録されている。
【００５５】
ユーザ登録データベースＳ３ｄには、この人ナビゲーションシステムを利用するユーザがあらかじめ登録している情報、例えば、性別や年齢,性格,趣味,嗜好,出身地などのルート設定に必要な情報が、各ユーザ毎に記録されている。
【００５６】
端末機Ｔはユーザ端末であり、ＷＷＷブラウザと呼ばれるアプリケーションプログラムを使用することによって、ＷＷＷのサービスを受けることができるようになっている。
【００５７】
この端末機Ｔとしては、パーソナルコンピュータの他、いわゆるｉモード機能を備えた携帯電話機,モバイルなどの携帯端末を含むＰＤＡ（Personal Digital Assistants）等が使用される。
【００５８】
次に、上記の人ナビゲーションシステムによるルート検索の方法を、図３に示すフローチャートに基づいて説明を行う。
【００５９】
先ず、この人ナビゲーションシステムによるナビゲーション情報の提供を受けようとするユーザは、端末機Ｔを公衆電話回線網およびアクセスサーバを介してインターネットＩに接続して、端末機ＴにセットアップされているWWWブラウザにより、地図情報提供サイトＳ１のＵＲＬ（Uniform Resource Locator）を指定する（ステップｓ１）。
【００６０】
地域情報提供サイトＳ１は、この端末機ＴによるＵＲＬの指定に基づいて、ナビゲーション情報の提供を行うホームページのＨＴＭＬ（Hyper Text Markup Language）テキストによる画像を端末機Ｔに送信して表示させる（ステップｓ２）。
【００６１】
次に、ユーザは、この端末機Ｔのディスプレイに表示されたホームページ上において、ユーザを特定するＩＤおよびパスワード等の入力を行うとともに、ナビゲーションを受けようとする出発地点と目的地点の指定を行う（ステップｓ３）。
【００６２】
また、このステップｓ３において、ルート設定のための追加条件、例えば、設定されたルートを通るときの時刻や天候,希望項目（食事や買い物）等のルート設定サイトＳ３のユーザ登録データベースＳ３ｄにあらかじめ登録されているユーザ情報に含まれている設定条件以外の条件がある場合には、その条件の入力を行う。
【００６３】
地図情報提供サイトＳ１は、ＷＷＷサーバＳ１ａが、端末機Ｔにおいて指定された出発地点と目的地点の情報に基づいて、ランドマークデータベースＳ１ｂからこの指定された出発地点と目的地点を含む地域の位置（座標）情報を取得し、この位置（座標）情報とこれに対応する地図画像のデータを有する地図データベースサイトＳ２およびルート設定サイトＳ３のＵＲＬを示すＨＴＭＬテキストを作成して、端末機Ｔに送信する（ステップｓ４）。
【００６４】
端末機Ｔは、この地図情報提供サイトＳ１から受け取った情報に基づいて、地図データベースサイトＳ２およびルート設定サイトＳ３にアクセスする（ステップｓ５）。
【００６５】
地図データベースサイトＳ２は、地図サーバＳ２ａが、端末機Ｔが地図情報提供サイトＳ１から受け取った位置情報に対応する地域の地図データを地図情報データベースＳ２ｂから取得して、端末機Ｔに送信する（ステップｓ６）。
【００６６】
一方、ルート設定サイトＳ３は、ルート設定サーバＳ３ａが、端末機Ｔにおいて指定された出発地点と目的地点とを結ぶ道路に関するルートデータをルートデータベースＳ３ｂから読み出すとともに、端末機Ｔにおいて入力されたユーザの特定情報に基づいてユーザ登録データベースＳ３ｄに記録されているユーザファイルの読み出しを行う（ステップｓ７）。
【００６７】
ルート設定サイトＳ３は、さらに、ユーザ登録データベースＳ３ｄから読み出されたユーザファイルに記録されているユーザに関する年齢や性別,趣味などのルート設定条件、および、端末機Ｔにおいて追加条件が入力されている場合にはその追加条件にそれぞれ適合する広告提供者の顧客ファイルｆを広告提供者データベースＳ３ｃから読み出す（ステップｓ８）。
【００６８】
そして、ルート設定サーバＳ３ａは、格納されているルート設定のためのプログラムにより、上記のようにしてルートデータベースＳ３ｂから読み出されたルートデータおよび広告提供者データベースＳ３ｃから読み出された広告提供者の顧客ファイルｆに基づいて、ユーザが指定した出発地点と目的地点とを結ぶルートのうちユーザの設定した条件に適合する最適なルートの設定を行って、そのルート情報を端末機Ｔに送信する（ステップｓ９）。
【００６９】
このルート設定サーバＳ３ａにおけるルート設定の態様については、後で詳述する。
【００７０】
端末機Ｔは、地図データベースサイトＳ２から送信される地図データに基づいてその地図画像をディスプレイ上に表示するとともに、この表示された地図画像上に、ルート設定サイトＳ３から送信されてきたルート情報に基づいて、出発地点と目的地点間に設定されたルートを色塗り（道塗り）などの手法によって表示する（ステップｓ１０）。
【００７１】
次に、上記ステップｓ９におけるルート設定の態様について、図４ないし９に示された例に基づいて説明を行う。
【００７２】
図４および５は、ルート設定サイトＳ３のユーザ登録データベースＳ３ｄに登録されているユーザ情報に基づいて、ユーザの性別や年齢,趣味などに適合したルートの設定が行われる場合を示している。
【００７３】
すなわち、図４に示されるように、ユーザが女性で宝石や洋服の趣味を有している場合には、広告提供者データベースＳ３ｃに登録されている宝石店や洋品店のうち指定された出発地点Ｓと目的地点Ｇの間にある宝石店ａと洋品店ｂがピックアップされて、この宝石店ａと洋品店ｂの前を通るルートのうち最短のルートＬ１が設定される。
【００７４】
また、図５に示されるように、ユーザが読書の趣味を有している場合には、広告提供者データベースＳ３ｃに登録されている書籍店のうち指定された出発地点Ｓと目的地点Ｇの間にある書籍店ｃがピックアップされ、さらに、ユーザの年齢が若い場合には、雑誌等が置いてある登録されたコンビニエンスストアｄもピックアップされて、この書籍店ｃとコンビニエンスストアｄの前を通るルートのうち最短のルートＬ２が設定される。
【００７５】
図６ないし８は、ユーザが時刻や時間帯,日時、または、天候などの追加条件を入力してルートの設定を行おうとしたときに、ルート設定サイトＳ３のユーザ登録データベースＳ３ｄに登録されているユーザ情報とともに、ユーザによる追加条件が考慮されることによって、ルートの設定が行われる場合を示している。
【００７６】
すなわち、図６は、ユーザによって、ルートを通る時間帯がＰＭ０：００〜１：００と入力された場合の例を示している。
【００７７】
この例においては、ルート設定サーバＳ３ａが、入力された時間帯が食事時間帯であることを判定して、広告提供者データベースＳ３ｃに登録されているレストランなどの飲食店のうち指定された出発地点Ｓと目的地点Ｇの間にある飲食店のピックアップを行う。
【００７８】
そして、ルート設定サーバＳ３ａは、さらに、この飲食店のピックアップの際に、ユーザ登録データベースＳ３ｄのユーザ情報に記録されている年齢から、ユーザが年輩者であることを判定すると、飲食店のうち和食の店ｅをピックアップして、その前を通るルートＬ３を設定ルートとして決定する。
【００７９】
図７および８は、追加条件としてルートの利用時刻や時間帯,日時等が入力された場合、または、利用時の天候が入力された場合の例を示している。
【００８０】
この例において、ルート設定サーバＳ３ａは、入力された時刻や時間帯、日時に基づいてルート設定サイトＳ３内あるいは他のシステムやサイトから取得した天候や気候などの気象情報、あるいは、ユーザによって入力された気象条件に基づいて、ルートの設定を行う。
【００８１】
例えば、気象情報において天候が雨の場合には、図７に示されるように、雨に濡れないで歩けるように、アーケードｇを有する広告提供者である商店街を通過し、さらに、傘の販売を行っているコンビニエンスストアｈの前を通るルートＬ４が設定される。
【００８２】
また、気象情報において天候が雨の場合や真夏の晴天である場合には、図８に示されるように、雨を凌げたり、また、冷房が効いたルートを通れるように、広告提供者であり異なる道路に面した出入口ｊ１とｊ２を有するデパートやスーパマーケットなどの大型店舗ｊを通過するルートＬ５が設定される。
【００８３】
このような大型店舗ｊを通過するルートＬ５の設定は、ルート設定サイトＳ３のルートデータベースＳ３ｂに、広告提供者である大型店舗の出入口のそれぞれの位置に関するデータが蓄積されていることによって可能になる。
【００８４】
上記のような各ルート設定の態様において、ルート設定の際にピックアップされた広告提供者の店舗が広い道路の一方の歩道側に面しているような場合には、前述したように、ルート設定サイトＳ３のルートデータベースＳ３ｂに、道路に敷設された左右の歩道の識別や交差点における信号,横断歩道の位置などのデータが蓄積されていることによって、図９に示されるように、道路Ｒの両側の歩道ｗのうち、ピックアップされた店舗ｋが立地している側の歩道がルートとして設定される。
【００８５】
なお、ルート設定サイトＳ３において上記のようにして設定されたルートのデータが端末機Ｔに送信されてその設定ルートが地図画像上に表示されたときに、ユーザ情報や追加条件に合致した店舗を拡大したり、色を変えたり、点滅させて表示したり、また、地図画像上に駅や公共施設等の主要な施設とユーザ情報や追加条件に合致した店舗のみを表示することによって、他の店舗と識別できるようにすることが出来る。
【００８６】
また、ユーザが同じ二地点を再度指定してルート設定を行う場合に、既に設定したルートとは異なるルートが設定されるようにすれば、ユーザに対して地域情報に関する新しい発見をする機会を与えることになる。
【００８７】
なお、上記においては、ルート設定の際の出発地点と目的地点の指定を地図情報の提供を行うホームページ上において行い、端末機Ｔにおける地図画像の取得と設定ルートの取得とを同時に行う旨の説明を行ったが、端末機Ｔに所望の地域の地図画像を表示させておいて、この表示された地図画像上において、出発地点と目的地点の指定およびルート設定の条件入力を行うようにしても良い。
【００８８】
また、広告提供者データベースを備えていない場合には、地図上に表示される施設毎に登録されてる関連情報からユーザ情報および追加情報に合致する施設が選択されて、ルートの設定が行われるようにしても良い。
【００８９】
さらにまた、上記においては、ルート設定のためのユーザ情報が広告提供者データベースＳ３ｃにあらかじめ登録されている場合について説明を行ったが、端末機Ｔにおいて、ルート設定操作の際に、全てのユーザ情報を入力するようにしてもよい。
【図面の簡単な説明】
【図１】この発明による人ナビゲーションシステムの実施形態の一例を示すシステム構成図である。
【図２】同例においてユーザ登録データベースに記録される顧客ファイルの一例を示す説明図である。
【図３】同例におけるルート設定手順の一例を示すフローチャートである。
【図４】この発明によるルート設定の結果を表示した画面の一例を示す説明図である。
【図５】この発明によるルート設定の結果を表示した画面の他の例を示す説明図である。
【図６】この発明によるルート設定の結果を表示した画面のさらに他の例を示す説明図である。
【図７】この発明によるルート設定の結果を表示した画面のさらに他の例を示す説明図である。
【図８】この発明によるルート設定の結果を表示した画面のさらに他の例を示す説明図である。
【図９】この発明によるルート設定の結果を表示した画面のさらに他の例を示す説明図である。
【図１０】従来の人ナビゲーションシステムによるルート設定の結果を表示した画面を示す説明図である。
【符号の説明】
Ｉ    …インターネット
Ｔ    …端末機
Ｓ１  …地図情報提供サイト
Ｓ１ａ…ＷＷＷサーバ
Ｓ１ｂ…ランドマークデータベース
Ｓ２  …地図データベースサイト
Ｓ２ａ…地図サーバ
Ｓ２ｂ…地図情報データベース
Ｓ３  …ルート設定ソートサイト
Ｓ３ａ…ルート設定サーバ
Ｓ３ｂ…ルートデータベース
Ｓ３ｃ…広告提供者データベース
Ｓ３ｄ…ユーザ登録データベース
Ｌ１,Ｌ２,Ｌ３,Ｌ４,Ｌ５…設定ルート
ａ    …宝石店（施設）
ｂ    …洋品店（施設）
ｃ    …書籍店（施設）
ｄ    …コンビニエンスストア（施設）
ｅ    …和食の店（施設）
ｆ    …顧客ファイル
ｇ    …アーケード（施設）
ｊ    …大型店舗（施設）
ｊ１,ｊ２…出入口
ｋ    …店舗（施設）
Ｒ    …道路
ｗ    …歩道
Ｓ    …出発地点（第１地点）
Ｇ    …目的地点（第２地点）
【図１】
0004080649.tif 000002
【図２】
0004080649.tif 000003
【図３】
0004080649.tif 000004
【図４】
0004080649.tif 000005
【図５】
0004080649.tif 000006
【図６】
0004080649.tif 000007
【図７】
0004080649.tif 000008
【図８】
0004080649.tif 000009
【図９】
0004080649.tif 000010
【図１０】
0004080649.tif 000011